(57)【要約】【課題】  ヒンジ部材が一対の支持板部から突出する突出高さを低くすることができるヒンジ装置を提供する。【解決手段】  主板部２１及び副板部２２には、それらを切り起すことによって一対の支持板部２３，２４を形成するとともに、それらの間に貫通孔２５を形成する。ねじ部材を挿通するねじ挿通孔２６を形成する。ねじ挿通孔２６は、支持板部２３，２４によって区画される部分の外側に位置する主板部２１及び副板部２２に配置する。【選択図】図１３
2012005590.tif 000002
【特許請求の範囲】
【請求項１】
本体部、及びこの本体部から起立する互いに平行な一対の支持板部を有する据付部材と、上記一対の支持板部間に少なくとも一部が挿入された状態で上記一対の支持板部に着脱可能に取り付けられたヒンジ部材と、このヒンジ部材に回動可能に連結された取付部材とを備え、上記本体部には、当該本体部を上記支持板部の起立方向に貫通するネジ挿通孔が形成されたヒンジ装置において、
上記本体部には、当該本体部を上記支持板部の起立方向に貫通する貫通孔が形成され、この貫通孔が、その両側部が上記一対の支持板部にそれぞれ接するよう、上記一対の支持板部間に配置され、上記ネジ挿通孔が上記一対の支持板部によって区画される部分の外側に配置されていることを特徴とするヒンジ装置。
【請求項２】
上記本体部が金属製の平板からなり、上記本体部が切り起されることによって、上記一対の支持板部及び上記貫通孔が形成されていることを特徴とする請求項１に記載のヒンジ装置。
【請求項３】
上記ネジ挿通孔に挿通したねじ部材を前面が開口部した筐体の一側部に螺合して締め付けることにより、上記本体部が上記筐体の一側部内面に固定され、上記取付部材が上記筐体の開口部を開閉する扉に取り付けられ、上記筐体の前面に沿う上記本体部の一側部が上記筐体の前面から突出させられることにより、上記本体部が防犯プレートとして用いられていることを特徴とする請求項２に記載のヒンジ装置。
【請求項４】
上記本体部が上記筐体の前面に沿う上記一側部内面の全長とほぼ等しい長さを有しており、上記一対の支持板部、上記ネジ挿通孔、及び上記貫通孔が上記本体部の長手方向の両端部にそれぞれ設けられていることを特徴とする請求項３に記載のヒンジ装置。
【請求項５】
本体部を有し、この本体部には、本体部から起立する互いに平行な一対の支持板部、及びこの支持板部の起立方向に上記本体部を貫通するネジ挿通孔が形成されたヒンジ装置用据付部材において、
上記本体部には、当該本体部を上記支持板部の起立方向に貫通する貫通孔が形成され、この貫通孔の両側部が上記一対の支持板部にそれぞれ接するよう、上記貫通孔が上記一対の支持板部間に配置され、上記ネジ挿通孔が上記一対の支持板部によって区画される部分の外側に配置されていることを特徴とするヒンジ装置用据付部材。
【請求項６】
上記本体部が金属製の平板からなり、上記本体部が切り起されることにより、上記一対の支持板部及び上記貫通孔が形成されていることを特徴とする請求項５に記載のヒンジ装置用据付部材。
【請求項７】
上記ネジ挿通孔に挿通したねじ部材を前面が開口部した筐体の一側部に螺合して締め付けることにより、上記本体部が上記筐体の一側部内面に固定され、上記取付部材が上記筐体の開口部を開閉する扉に取り付けられ、上記筐体の前面に沿う上記本体部の一側部が上記筐体の前面から突出させられることにより、上記本体部が防犯プレートとして用いられていることを特徴とする請求項６に記載のヒンジ装置用据付部材。
【請求項８】
上記本体部が上記筐体の前面に沿う上記一側部内面の全長とほぼ等しい長さを有しており、上記一対の支持板部、上記ネジ挿通孔、及び上記貫通孔が上記本体部の長手方向の両端部にそれぞれ設けられていることを特徴とする請求項７に記載のヒンジ装置用据付部材。
【請求項９】
上記支持板部の一端部には、ヒンジ装置のヒンジ部材の一端部を係脱可能に係止する第１係止部が形成され、上記支持板部の他端部には、係止部材が係止位置と解除位置との間を回動可能に設けられ、この係止部材には、上記係止位置に位置しているときに上記ヒンジ部材の他端部を係止する第２係止部が設けられ、上記第１、第２係止部に上記ヒンジ部材の両端部が係止されることによって上記ヒンジ部材が上記支持板部に取り付けられ、上記係止部材が係止位置から上記解除位置に回動させられると、上記第２係止部材による上記ヒンジ部材に対する係止状態が解除されて、上記ヒンジ部材が上記支持板部から取り外し可能になることを特徴とする請求項５〜８のいずれかに記載のヒンジ装置用据付部材。
【発明の詳細な説明】
【技術分野】
【０００１】
この発明は、例えばパチンコ機やパチスロ機等の遊戯機や自動販売機等の筐体に扉を回動可能に取り付けるためのヒンジ装置及びそのヒンジ装置に用いられる据付部材に関する。
【背景技術】
【０００２】
一般に、パチンコ機やパチスロ機等の遊戯機に用いられるヒンジ装置は、据付部材、この据付部材に着脱可能に取り付けられるヒンジ部材、及びこのヒンジ部材にリンクを介して回動可能に連結された取付部材を有している。据付部材は、遊技機の筐体に固定される。一方、取付部材は、遊技機の扉に固定される。そして、ヒンジ部材が据付部材に着脱可能に取り付けられる。これにより、扉が筐体にヒンジ装置を介して開閉回動可能に、しかも着脱可能に取り付けられる。
【０００３】
下記特許文献１に記載されているように、従来のヒンジ装置の据付部材は、主板部と、この主板部の両側部から起立する互いに平行な支持板部とを有しており、全体として断面「コ」字状に形成されている。一対の支持板部間には、ヒンジ部材が挿脱可能に挿入されており、その状態でヒンジ部材が一対の支持板部に着脱可能に取り付けられている。
【先行技術文献】
【特許文献】
【０００４】
【特許文献１】特開２００５−２７７８０号公報
【発明の概要】
【発明が解決しようとする課題】
【０００５】
上記構成を有する従来のヒンジ装置においては、ヒンジ部材が主板部に突き当たることを防止するために、ヒンジ部材は主板部から一対の支持板部の起立方向前方側に離間した状態で取り付けられている。特に、主板部をビスで固定する場合には、ヒンジ部材をビスの頭部にぶつからないようにさらに主板部から離間させる必要がある。このため、ヒンジ本体が支持板部からその起立方向前方へ大きく突出する。この結果、据付部材を筐体に取り付けたとき、ヒンジ本体の支持板部からの突出部分が枠体の有効利用可能な内部空間を狭めしまうという問題があった。
【課題を解決するための手段】
【０００６】
上記の問題を解決するために、第１の発明は、本体部、及びこの本体部から起立する互いに平行な一対の支持板部を有する据付部材と、上記一対の支持板部間に少なくとも一部が挿入された状態で上記一対の支持板部に着脱可能に取り付けられたヒンジ部材と、このヒンジ部材に回動可能に連結された取付部材とを備え、上記本体には、当該本体を上記支持板部の起立方向に貫通するネジ挿通孔が形成されたヒンジ装置において、上記本体部には、当該本体部を上記支持板部の起立方向に貫通する貫通孔が形成され、この貫通孔が、その両側部が上記一対の支持板部にそれぞれ接するよう、上記一対の支持板部間に配置され、上記ネジ挿通孔が上記一対の支持板部によって区画される部分の外側に配置されていることを特徴としている。
この場合、後述する理由により、上記本体部が金属製の平板からなり、上記本体部が切り起されることによって、上記一対の支持板部及び上記貫通孔が形成されていることが望ましい。
上記ネジ挿通孔に挿通したねじ部材を前面が開口部した筐体の一側部に螺合して締め付けることにより、上記本体部が上記筐体の一側部内面に固定され、上記取付部材が上記筐体の開口部を開閉する扉に取り付けられ、上記筐体の前面に沿う上記本体部の一側部が上記筐体の前面から突出させられることにより、上記本体部が防犯プレートとして用いられていることが望ましい。
上記本体部が上記筐体の前面に沿う上記一側部内面の全長とほぼ等しい長さを有しており、上記一対の支持板部、上記ネジ挿通孔、及び上記貫通孔が上記本体部の長手方向の両端部にそれぞれ設けられていることが望ましい。
上記の問題を解決するために、第２の発明は、本体部を有し、この本体部には、本体部から起立する互いに平行な一対の支持板部、及びこの支持板部の起立方向に上記本体部を貫通するネジ挿通孔が形成されたヒンジ装置用据付部材において、上記本体部には、当該本体部を上記支持板部の起立方向に貫通する貫通孔が形成され、この貫通孔の両側部が上記一対の支持板部にそれぞれ接するよう、上記貫通孔が上記一対の支持板部間に配置され、上記ネジ挿通孔が上記一対の支持板部によって区画される部分の外側に配置されていることを特徴としている。
この場合、後述する理由により、上記本体部が金属製の平板からなり、上記本体部が切り起されることにより、上記一対の支持板部及び上記貫通孔が形成されていることが望ましい。
上記ネジ挿通孔に挿通したねじ部材を前面が開口部した筐体の一側部に螺合して締め付けることにより、上記本体部が上記筐体の一側部内面に固定され、上記取付部材が上記筐体の開口部を開閉する扉に取り付けられ、上記筐体の前面に沿う上記本体部の一側部が上記筐体の前面から突出させられることにより、上記本体部が防犯プレートとして用いられていることが望ましい。
上記本体部が上記筐体の前面に沿う上記一側部内面の全長とほぼ等しい長さを有しており、上記一対の支持板部、上記ネジ挿通孔、及び上記貫通孔が上記本体部の長手方向の両端部にそれぞれ設けられていることが望ましい。
上記支持板部の一端部には、ヒンジ装置のヒンジ部材の一端部を係脱可能に係止する第１係止部が形成され、上記支持板部の他端部には、係止部材が係止位置と解除位置との間を回動可能に設けられ、この係止部材には、上記係止位置に位置しているときに上記ヒンジ部材の他端部を係止する第２係止部が設けられ、上記第１、第２係止部に上記ヒンジ部材の両端部が係止されることによって上記ヒンジ部材が上記支持板部に取り付けられ、上記係止部材が係止位置から上記解除位置に回動させられると、上記第２係止部材による上記ヒンジ部材に対する係止状態が解除されて、上記ヒンジ部材が上記支持板部から取り外し可能になることが望ましい。
【発明の効果】
【０００７】
上記構成を有するこの発明によれば、据付部材の本体部に貫通孔が形成され、この貫通孔が一対の支持板部間に配置されているから、貫通孔が形成されていない場合に比して、ヒンジ部材を一対の支持板部の基端側に配置することができ、その分だけヒンジ部材の支持板部からの突出高さを低くすることができる。よって、当該据付部材を有するヒンジ装置を筐体に取り付けたときには、筐体内の有効利用可能な空間を広くすることができる。
【図面の簡単な説明】
【０００８】
【図１】図１は、この発明に係るヒンジ装置が用いられた遊技機を扉が開いた状態で示す斜視図である。
【図２】図２は、同遊戯機を扉が閉じた状態で示す側面図である。
【図３】図３は、図２のＸ−Ｘ線に沿う拡大断面図であって、ヒンジ装置の据付部材以外の部材が省略されている。
【図４】この発明に係るヒンジ装置の一実施の形態を、取付部材が閉位置に位置した状態で示す斜視図である。
【図５】同実施の形態を示す一部省略正面図である。
【図６】同実施の形態を示す一部省略側面図である。
【図７】同実施の形態の拡大平面図である。
【図８】図８は、同実施の形態の要部を示す拡大斜視図である。
【図９】図９は、図５のＸ−Ｘ線に沿う拡大断面図である。
【図１０】図１０は、図５のＹ−Ｙ線に沿う拡大断面図である。
【図１１】図１１は、同実施の形態を、取付部材が開位置に位置した状態で示す図９と同様の断面図である。
【図１２】図１２は、同実施の形態を、取付部材が開位置に位置した状態で示す図１０と同様の断面図である。
【図１３】図１３は、同実施の形態を、据付部材にヒンジ部材を取り付ける前の状態で示す斜視図である。
【図１４】図１４は、同実施の形態を、据付部材の一対の支持板部の間にヒンジ部材の一端部を挿入し、かつ他端部を挿入する前の状態で示す一部省略斜視図である。
【図１５】図１５は、同実施の形態において用いられている据付部材の一部を省略して示す正面図である。
【図１６】図１６は、同据付部材の一部を省略して示す斜視図である。
【図１７】図１７は、同実施の形態を、据付部材を省略して示す分解斜視図である。
【図１８】図１８は、この発明に係るヒンジ装置の他の実施の形態を、据付部材にヒンジ部材を取り付ける前の状態で示す一部省略斜視図である。
【図１９】図１９は、同実施の形態の図９と同様の断面図である。
【図２０】図２０は、同実施の形態の図１１と同様の断面図である。
【発明を実施するための形態】
【０００９】
以下、この発明を実施するための最良の形態を、図面を参照して説明する。
図１〜図３は、この発明に係るヒンジ装置１が用いられたパチスロ機等の遊技機Ａを示している。遊技機Ａは、筐体Ｂ及び扉Ｃを有している。筐体Ｂは、その前面Ｂ１が開口した略四角形の箱状をなしており、その内部の上面Ｂ２、下面Ｂ３及び左右方向の一側面（図１において右側面）Ｂ４の各前端部には、金属製の防犯プレートＰ１，Ｐ２，Ｐ３が取り付けられている。
なお、以下においては、説明の便宜上、各構成の前後左右及び上下を筐体Ｂの前後左右及び上下に基づいて説明するものとする。勿論、この発明は、それに限定されるものではない。
【００１０】
防犯プレートＰ１，Ｐ２，Ｐ３は、上面Ｂ２、下面Ｂ３及び右側面Ｂ４の各面の一端から他端まで前面Ｂ１に沿って延びている。各防犯プレートＰ１，Ｐ２，Ｐ３の前側の側部は、筐体Ｂの前面Ｂ１から所定距離だけ前方へ突出させられている。筐体Ａの内部の左側面Ｂ５には、ヒンジ装置１の据付板（据付部材）２が取り付けられている。据付板２は、防犯プレートＰ１〜Ｐ３と同一の厚さ及び同一の幅を有しており、左側面Ｂ５の上端から下端まで延びている。そして、据付板２の上端部が防犯プレートＰ１に接触し、下端部が防犯プレートＰ２に接触している。据付板２の前側の側部は、筐体Ｂの前面Ｂ１から防犯プレートＰ１〜Ｐ３の突出距離と同一距離だけ前方へ突出させられている。この結果、防犯プレートＰ１〜Ｐ３及び据付板２の各前側部が筐体Ｂの前面から全周にわたって突出している。
【００１１】
扉Ｃは、その前面が開放した深さの浅い箱状をなしており、その開放部を筐体Ｂ側に向けて配置されている。そして、扉Ｃは、据付板２側に位置する側部がヒンジ装置１により図３の矢印方向へ開閉回動可能に取り付けられている。この場合、筐体Ｂの前面Ｂ１が若干後傾しているのに対応してヒンジ装置１の回動軸線が傾斜し、扉Ｃが水平面に対して若干傾斜した面に沿って開閉回動するようになっているが、扉Ｃは水平面内において回動させるようにしてもよく、あるいは他の平面内において回動させるようにしてもよい。扉Ｃは、図２に示すように、その前面Ｃ１が筐体Ｂの前面Ｂ１に突き当った閉位置と、閉位置から所定の角度（例えば１００〜１２０°）だけ離れた図１に示す開位置との間を回動可能である。
【００１２】
扉Ｃが閉位置に位置しているときには、扉Ｃの前面Ｃ１が筐体２の前面Ｂ１と全周にわたって互いに接触している。前面Ｂ１，Ｃ１の接触箇所は、防犯プレートＰ１〜Ｐ３及び据付板２の筐体Ｂからの突出部分より外側に位置している。したがって、扉Ｃが閉位置に位置すると、防犯プレートＰ１〜Ｐ３及び据付板２の筐体Ｂからの突出部分が、前面Ｂ１，Ｃ１の接触箇所より内側に位置し、しかも当該接触箇所と筐体２の内外方向において対向することになる。したがって、扉Ｃの前面Ｃ１と筐体Ｂの前面Ｂ１との接触面間から薄い金属板や針金等を差し込んでも、防犯プレートＰ１〜Ｐ３又は据付板２に突き当たり、それ以上針金等を筐体Ｂ内に挿入することができない。これにより、不正行為が未然に防止されている。これから明らかなように、ヒンジ装置１の据付板２は、防犯プレートとして兼用されている。
【００１３】
次に、扉Ｃを筐体Ｂに回動可能に連結するためのヒンジ装置１について図１〜図１７を参照して説明する。図４〜図１４、特に図１３に示すように、ヒンジ装置１は、据付板（据付部材）２、ヒンジ部材３、中間部材６及び取付部材７を有している。
【００１４】
据付板２は、上記のように金属製の平板によって構成されており、上下に長い主板部２１と、この主板部２１の右側部の上端部及び下端部にそれぞれ一体に設けられた副板部２２，２２とを有している。主板部２１及び副板部２２，２２によって本体部が構成されている。
【００１５】
主板部２１は、防犯プレートＰ３と同一寸法を有している。しかも、主板部２１の側部が筐体Ｂの前面Ｂ１から前方へ防犯プレートＰ３と同一距離だけ突出させられている。したがって、主板部２１が実質的に防犯プレートとして用いられている。ただし、主板部２１は、防犯プレートとして用いない場合には、必ずしも防犯プレートＰ３と同一寸法にする必要がない。
【００１６】
一方、副板部２２は、主板部２１と一体に形成されている。したがって、副板部２２は主板部２１と同一の厚さを有している。副板部２２は、主板部２１と異なる厚さにしてもよい。副体部２２は、主板部２１と同一平面上に配置されており、主板部２１から筐体Ｂの背面側へ向かって所定の長さをもって延びている。
【００１７】
副板部２２及び当該副板部から主板部２１の中間部に至る部位には、当該部位を切り起すことにより、上下一対の支持板部２３，２４が形成されている。支持板部２３，２４は、主板部２１及び副板部２２から垂直に起立しており、その長手方向を副板部２２の長手方向に向けて配置されている。したがって、一対の支持板部２３，２４は、互いに平行であり、上下に対向している。なお、対向方向は、前面Ｂ１と平行な方法であり、鉛直方向に対して若干傾斜している。勿論、前面Ｂ１が鉛直な平面とされるときには、支持板部２３，２４の対向方向も鉛直方向とされる。
【００１８】
上下一対の支持板部２３，２４が、主板部２１及び副板部２２を切り起して形成された結果、主板部２１及び副板部２２には貫通孔２５が形成されている。勿論、貫通孔２５は、一対の支持板部２３，２４間に形成されており、前後方向には支持板部２３，２４と同一位置に位置し、支持板部２３，２４と同一の長さを有している。しかも、貫通孔２５の上側部が支持板部２３に接し、貫通孔２５の下側部が支持板部２４に接している。貫通孔２５の長さは、支持板部２３，２４より長くしてもよく、あるいは短くしてもよい。また、貫通孔２５は、その前側の端部及び／又は後側の端部が支持板部２３，２４と異なる位置に位置するように配置してもよい。
【００１９】
主板部２１及び副板部２２のうちの支持板部２３及び支持板部２４に対しそれぞれ上下に隣接する各部位には、ネジ挿通孔２６がそれぞれ形成されている。ネジ挿通孔２６は、上側及び下側にそれぞれ２個ずつ形成されているが、それぞれ一つだけ形成してもよく、三つ以上形成してもよい。各ネジ挿通孔２６には、ビス（図示せず）が挿通されている。このビスを筐体Ｂの左側壁部にねじ込んで締め付けることにより、据付板２の上下の両端部が筐体Ｂの左側面Ｂ５に固定されている。
【００２０】
なお、この実施の形態では、据付板２が防犯プレートとして共用されているため、据付板２が上下に長い主板部２１を有しているが、防犯プレートとして共用する必要がない場合には、据付板２を、副板部２２と主板部２１のうちの副板部２２の延長上に位置する部分とだけで構成してもよい。その場合において、副板部２２と主板部２１のうちの副板部２２の延長上に位置する部分とを本体部と称するものとすると、据付板２は、本体部と、この本体部を切り起すことによって形成される一対の支持板部と、一対の支持板部間に形成される貫通孔と、基板部に形成される複数のネジ挿通孔とによって構成される。
【００２１】
ヒンジ部材３は、断面「コ」字状をなしており、その長手方向を支持板部２３，２４の長手方向と同一方向に向けるとともに、開放部を支持板部２３，２４の起立方向前方（筐体Ｂの左側から右側へ向かう方向）に向けた状態で配置されている。上下方向におけるヒンジ部材３の外幅は、一対の支持板部２３，２４間の距離と同等以下に設定されている。したがって、ヒンジ部材３は、一対の支持板部２３，２４間にその起立方向前方側から挿脱可能である。そして、ヒンジ部材３は、一対の支持板部２３，２４間に挿入された状態で支持板部２３，２４に着脱可能に取り付けられている。
【００２２】
すなわち、図１３、図１４及び図１６に示すように、一対の支持板部２３，２４の前端部には、係止凹部２３ａ，２４ａがそれぞれ形成されており、一対の支持板部２３，２４の後端部間には、それらの対向方向に延びる係止軸２７が設けられている。
【００２３】
一方、ヒンジ部材３の前端部には、被係止軸３１が設けられている。被係止軸３１の両端部は、ヒンジ部材３の両側面からそれぞれ上下方向に突出している。図１３及び図１４から明らかなように、被係止軸３１の両端部は、係止凹部２３ａ，２４ａにそれらの前側から挿入可能であり、被係止軸３１の両端部が係止凹部２３ａ，２４ａの各底部に接触した状態では、ヒンジ部材３の後端部が被係止軸３１を中心として回動可能である。
【００２４】
ヒンジ部材３の後端部の左側部には、被係止凹部３２が形成されている。被係止凹部３２は、被係止軸３１が係止凹部２３ａ，２４ａの底部に突き当たった状態で、ヒンジ部材３２を図１４の矢印方向へ被係止軸３１を中心として回動させると、係止軸２７が被係止凹部３２に入り込むように配置されている。係止軸２７は、被係止凹部３２の底部に突き当たるまで係止凹部３２に入り込む。
【００２５】
据付部材２の後端部には、係止部材４が支持板部２３，２４の対向方向に延びる軸４１を中心として回動可能に設けられている。この係止部材４は、コイルばねからなる回動付勢手段４２により、被係止凹部３２に入り込んだ係止軸２７に向かって回動付勢されており、係止軸２７に突き当たってこれを被係止凹部３２の底部に押し付けている。ヒンジ部材３が一対の支持板部２３，２４間に挿入された状態で、被係止軸３１が係止凹部２３ａ，２４ａの底部に突き当たるとともに、係止軸２７が被係止凹部３２の底部に回動付勢手段４１によって押し付けられることにより、ヒンジ部材３が据付板２に固定されている。その一方、係止部材４を回動付勢手段４２の回動付勢力に抗して所定角度以上回動させると、係止部材４が係止軸２７から離間して係止軸２７が被係止凹部３２から脱出可能になる。そこで、ヒンジ部材３を被係止軸３１を中心として図１４の矢印方向と逆方向へ回動させると、係止軸２７が被係止凹部３２から脱出する。その後、ヒンジ部材３を前方（図１４において下方）へ移動させて被係止軸３１を係止凹部２３ａ，２４ａから脱出させることにより、ヒンジ部材３を据付板２から取り外すことができる。
【００２６】
なお、ヒンジ部材３には、ロック部材４３が軸４１と平行な軸線を中心として回動可能に設けられている。このロック部材４３は、ヒンジ部材３が据付板２に取り付けられた状態において、図１１に示す所定のロック位置に回動させると、係止部材４に係合して係止部材４が回動付勢手段４１の付勢力に抗して回動することを阻止する。これにより、ヒンジ部材３が据付板２から不慮の事故によって外れるような事態が未然に防止されている。勿論、ロック部材４３を図１１の矢印方向へ所定角度以上回動させて係止部材４から離間させると、係止部材４が回動付勢手段４１の付勢力に抗して回動可能になり、ヒンジ部材３が据付板２から取り外し可能になる。
【００２７】
図９〜図１２に示すように、ヒンジ部材３の前端部及び前後方向の中間部には、第１及び第２リンク５１，５２の各一端部が支持板部２３，２４の対向方向に延びる上記被係止軸３１及び軸５４を介してそれぞれ回動可能に連結されている。第１、第２リンク５１，５２の各他端部は、中間部材６の前後方向の中間部及び後端部に軸３１，５４と平行な軸５５，５６を介してそれぞれ回動可能に連結されている。これにより、中間部材６がヒンジ部材３に回動可能に連結されている。
【００２８】
上記取付部材７は、図１７に示すように、外側部材７１とこの外側部材７１内に挿入された内側部材７２とを有している。外側部材７１と内側部材７２とは、軸５４〜５６と平行な二つの軸７３，７４によって一体に連結されている。取付部材７は、外側部材７１と内側部材７２との二つの部材によって構成することなく、全体を一体に形成してもよい。
【００２９】
取付部材７の一端部（図９において上端部；図１１において左端部）は、中間部材６の前端部に軸７３を介して回動可能に連結されている。取付部材７の他端部と上記第１リンク５１との間には、リンク８１が配置されている。リンク８１の基端部（図１１において右端部）は、第１リンク５１の長手方向の中間部に軸７３と平行な軸８２を介して回動可能に連結されている。リンク８１の先端部は、取付部材７に軸７４を介して回動可能に連結されている。この結果、取付部材７がヒンジ部材３に第１、第２リンク５１，５２、中間部材６及びリンク８１を介して回動可能に連結されている。しかも、取付部材７は、中間部材６が回動すると、中間部材６に対して回動する。取付部材７は、リンク５１，５２の他端部に軸７３，７４を介して回動可能に連結してもよい。その場合には、中間部材６及びリンク８１が省かれる。また、取付部材７は、一つのリンクを介してヒンジ部材３に回動可能に連結してもよい。さらに、取付部材７は、リンク等を介在させることなく、ヒンジ部材３に直接回動可能に連結してもよい。
【００３０】
図１に示すように、取付部材７は、扉３の左側部、つまり据付板２が取り付けられた側部と同一側の側部に取り付けられている。これにより、扉３がその左端部を中心としてほぼ水平方向へ回動するように筐体２にヒンジ装置１を介して開閉回動可能に取り付けられている。しかも、扉３は、ヒンジ部材３を据付板２から取り外すことにより、筐体２に対して着脱可能になっている。
【００３１】
取付部材７は、扉３と一体に開閉回動する。そこで、扉３が閉位置及び開位置に位置しているときの取付部材７の各位置もそれぞれ閉位置及び開位置と称するものとすると、取付部材７は、開位置から閉位置へ向かって所定の中間位置に回動すると、停止機構９によって所定の大きさの力で閉回動が阻止されるようになっている。
【００３２】
すなわち、図１０及び図１２に示すように、リンク８１の基端部には、軸８２を中心とする大径円弧面９１及び小径円弧面９２が形成されるとともに、大径円弧部９１と小径円弧部９２との間に傾斜した段差面９３が形成されている。また、第１リンク５１には、当接軸９４が第１リンク５１の長手方向へ移動可能に、かつ回転可能に設けられている。この当接軸９４は、ばね９５によってリンク８１の基端部に押し付けられている。ここで、当接軸９４は、取付部材７（扉３）が閉位置と中間位置との間に位置しているときには、大径円弧部９１に接触し、取付部材７が開位置と中間位置との間に位置しているときには小径円弧部９２に接触している。したがって、取付部材７が閉位置と中間位置との間、及び開位置と中間位置との間に位置しているときには、当接軸９４がリンク８１の軸８２を中心とする回動を阻止することはない。しかるに、取付部材７が開位置側から閉回動して中間位置に達すると、当接軸９４が段差面９３に突き当たる。この状態では、当接軸９４をばね９５の付勢力に抗して段差面９３を大径円弧面９１まで転がり上げない限り取付部材７が閉回動することができない。つまり、当接軸９４が段差面９３に突き当たった状態では、ばね９５の付勢力によって取付部材７の閉回動が阻止される。これにより、扉３が開位置から閉位置側へ回動するときには、中間位置において所定の力で停止させられるようになっている。勿論、取付部材７を所定の大きさを越える力で閉回動させることにより、中間位置から閉回動させることができる。
【００３３】
上記構成のヒンジ装置１においては、据付板２の一対の支持板部２３，２４間に貫通孔２５が形成されており、主板部が形成されていない。したがって、支持板部２３，２４間には、据付板２を筐体Ｂに固定するためのビスが配置されることもない。よって、ヒンジ部材３及びそれに設けられた第１、第２リンク５１，５２の基端部については、貫通孔２５が形成されていない場合よりも支持板部２３，２４の基端部側に配置することができる。この結果、ヒンジ部材３の据付板２に対する突出高さ、つまり支持板部２３，２４の起立方向前方側への突出高さを低くすることができる。よって、据付板２を筐体Ｂに取り付けた場合には、ヒンジ部材３の筐体Ｂ内への突出高さを低くすることができ、その分だけ筐体Ｂの内部の有効利用空間を大きくすることができる。
【００３４】
また、筐体Ｂの据付板２が取り付けられる部分の厚さが十分に厚いときには、筐体Ｂの内面の貫通孔２３と対向する部分に凹部を形成し、この凹部にヒンジ部材３の一部及び／又は第１、第２リンク５１，５２の基端部が入り込むように、ヒンジ部材３及び第１、第２リンク５１，５２を配置することができる。そのようにした場合には、ヒンジ部材３の筐体Ｂ内への突出高さをさらに低くすることができ、その結果筐体Ｂの内部の有効利用空間をより一層大きくすることができる。
【００３５】
また、上記のヒンジ装置１においては、主板部２１に二つの副板部２２を設け、一つの据付板２を二つのヒンジ装置１，１で共用しているから、各ヒンジ装置１，１にそれぞれ据付板を用いる場合に比して据付板の数を減らすことができる。よって、ヒンジ装置１の製造費を低減することができる。
【００３６】
さらに、据付板２を筐体Ｂの側面の上端から下端まで延ばすとともに、据付板２の一側部を筐体２の前面Ｂ１から前方へ突出させることにより、据付板２を防犯プレートとして兼用させている。したがって、通常は、防犯プレートＰ１，Ｐ２，Ｐ３の他にもう一つの防犯プレートが必要であるが、ヒンジ装置１を用いれば、もう一つの防犯プレートが不要になる。したがって、遊戯機Ａの製造費を低減することができる。
【００３７】
図１８〜図２０は、この発明に係るヒンジ装置の他の実施の形態を示す。この実施の形態のヒンジ装置１′においては、支持板部２３，２４の後端部に上記実施の形態の係止軸２７に代えて係止部材１１が設けられ、ヒンジ部材３の後端部には被係止凹部３２に代えて被係止軸３３が設けられている。
【００３８】
係止部材１１は、上記実施の形態の係止部材４に対応するものであり、支持板部２３，２４の後端部にそれらと直交する方向に延びる軸１２を介して回動可能に設けられている。この係止部材１１は、図１８〜図２０に示す係止位置と、この係止位置から時計方向へ所定の角度（例えば、３０°程度）だけ離れた解除位置との間を回動可能であり、捩りコイルばね等の回動付勢手段１３によって解除位置側から係止位置に向かって回動付勢されている。係止部材１１の前端部には、係止凹部（第２係止部）１１ａが形成されている。この係止凹部１１ａには、被係止軸３３が係脱可能に係合する。つまり、係止部材１１が係止位置に位置しているときには、被係止軸３３が係止凹部１１ａに入り込み、それによってヒンジ部材３の後端部が支持板部２３，２４の後端部に係止部材１１を介して係止される。勿論、ヒンジ部材３の前端部は、支持板部２３，２４の前端部に係止されている。これにより、ヒンジ部材３が支持板部２３，２４に取り付けられる。その一方、係止部材１１を係止位置から解除位置まで回動させると、被係止軸３３が係止部材１１に対して相対移動して係止凹部１１ａから脱出する。したがって、ヒンジ部材３が支持板部２３，２４から取り外し可能になる。
【００３９】
係止部材１１には、傾斜面１１ｂが形成されている。この傾斜面１１ｂは、係止凹部１１ａに対し軸１２側と逆側において隣接するように配置されており、係止凹部１１ａから離間するにしたがって後方へ向かうように傾斜させられている。しかも、傾斜面１１ｂは、係止部材１１が係止位置に位置し、かつヒンジ部材３の被係止軸３１が支持板部２３，２４の係止凹部（第１係止部）２３ａ，２４ａに係合した状態でヒンジ部材３の後端部が支持板部２３，２４に接近するようにヒンジ部材３を回動させると、被係止軸３３が突き当たるように配置されている。被係止軸３３が傾斜面１１ｂに突き当たった状態で、ヒンジ部材３をさらに回動させると、被係止軸３３が傾斜面１１ｂを押して係止部材１１を係止位置から解除位置側へ回動付勢手段１３の付勢力に抗して回動させる。係止部材１１が係止位置から解除位置に向かって所定角度以上回動すると、被係止軸３３が傾斜面１１ｂを乗り越え、係止凹部１１ａと対向する。すると、係止部材１１が回動付勢手段１３によって係止位置まで回動させられ、被係止軸３３が係止凹部１１ａに入り込む。これによって、ヒンジ部材３の後端部が支持板部２３，２４の後端部に係止部材１１及び被係止軸３３を介して係止される。
【００４０】
ロック部材４３は、ヒンジ部材３が支持板部２３，２４に取り付けられた状態においてロック位置に回動させると、係止部材１１に係合し、係止部材１１が係止位置から解除位置側へ回動することを阻止する。勿論、ロック部材４３をロック位置から回動させて係止部材１１から離間させると、係止部材１１が係止位置から解除位置側へ回動可能になる。その他の構成は、上記実施の形態と同様である。
【００４１】
なお、この発明は、上記の実施の形態に限定されるものでなく、その要旨を逸脱しない範囲において各種の変形例を採用することができる。
例えば、上記の実施の形態においては、主板部２１及び副板部２２を切り起すことにより、支持板部２３，２４を形成しているが、支持板部２３，２４を主板部２１及び副板部２２と別体に形成し、それらに固定してもよい。その場合においても、支持板部２３，２４は、貫通孔２５に接するように配置することが望ましい。
【産業上の利用可能性】
【００４２】
この発明に係るヒンジ装置は、パチンコ機やパチスロ機等の筐体と扉とを回動可能に連結するためのヒンジ装置として利用することができ、この発明に係るヒンジ装置用据付部材は、そのようなヒンジ装置を筐体に取り付けるためのものとして利用することができる。
【符号の説明】
【００４３】
Ａ    遊戯機
Ｂ    筐体
Ｂ１    前面
Ｃ    扉
１    ヒンジ装置
１′    ヒンジ装置
２    据付板（据付部材）
３    ヒンジ部材
７    取付部材
１１    係止部材
１１ａ    係止凹部（第２係止部）
２１    主板部（本体部）
２２    副板部（本体部）
２３    支持板部
２３ａ    係止凹部（第１係止部）
２４    支持板部
２４ａ    係止凹部（第２係止部）
２５    貫通孔
２６    ネジ挿通孔
【図１】
2012005590.tif 000003
【図２】
2012005590.tif 000004
【図３】
2012005590.tif 000005
【図４】
2012005590.tif 000006
【図５】
2012005590.tif 000007
【図６】
2012005590.tif 000008
【図７】
2012005590.tif 000009
【図８】
2012005590.tif 000010
【図９】
2012005590.tif 000011
【図１０】
2012005590.tif 000012
【図１１】
2012005590.tif 000013
【図１２】
2012005590.tif 000014
【図１３】
2012005590.tif 000015
【図１４】
2012005590.tif 000016
【図１５】
2012005590.tif 000017
【図１６】
2012005590.tif 000018
【図１７】
2012005590.tif 000019
【図１８】
2012005590.tif 000020
【図１９】
2012005590.tif 000021
【図２０】
2012005590.tif 000022